(57)【特許請求の範囲】
【請求項１】
同一形状の被連結部が側面に設けられた複数の平板状のブロック部材を、被連結部に嵌着する連結部を設けた複数のジョイント部材を介在させて連結する組立ブロック玩具において、
前記ブロック部材は、正方形状をなす正方形状ブロック部材を複数個含み、これらの正方形状ブロック部材は各辺の中央に同一形状の被連結部を有してなり、
前記ジョイント部材は、アーム用ジョイント部材と枢軸用ジョイント部材とを含み、
アーム用ジョイント部材は、
正方形状ブロック部材の一辺より長く形成されてその外側面に当接する当接面から突出する連結部により該正方形状ブロック部材に嵌着可能なアーム本体と、
該当接面に有って、正方形状ブロック部材の外側面に嵌着させたときその外側面に当接しない箇所に設けた回動用嵌合部と、を有し、
枢軸用ジョイント部材は、
正方形状ブロック部材の一辺の長さと実質的に等しく形成されてその外側面に当接する当接面から突出する連結部により該正方形状ブロック部材に嵌着可能な枢軸本体と、
枢軸本体の両端面に設けられて前記アーム用ジョイント部材の回動用嵌合部に嵌合可能な回動用嵌合部と、を有し、
一の正方形状ブロック部材が嵌着されたアーム用ジョイント部材の回動用嵌合部に、他の正方形状ブロック部材が嵌着された枢軸用ジョイント部材の回動用嵌合部を嵌合したとき、一の正方形状ブロック部材が他の正方形状ブロック部材に対して相対的に回動することを特徴とする組立ブロック玩具。
【請求項２】
請求項１に記載の組立ブロック玩具において、
前記枢軸用ジョイント部材の回動用嵌合部を２個のアーム用ジョイント部材の回動用嵌合部に嵌合させるとともに、２個のアーム用ジョイント部材の当接面を正方形状ブロック部材の互いに背向する外側面に当接させて嵌着した連結状態において枢軸用ジョイント部材に対して回動させたとき、
該正方形状ブロック部材の外側面が枢軸用ジョイント部材に当接することにより回動角を規制することを特徴とする組立ブロック玩具。
【請求項３】
請求項１又は２に記載の組立ブロック玩具において、
前記アーム用ジョイント部材は、正方形状ブロック部材の外側面に当接する当接面を２個有し、連結部と回動用嵌合部をそれぞれ２個有していることを特徴とする組立ブロック玩具。
【請求項４】
請求項１乃至３のいずれかに記載の組立ブロック玩具において、
前記アーム用ジョイント部材は、回動用嵌合部の近傍に、その嵌合長さより短い停留用凸部又は停留用凹部を設け、
前記枢軸用ジョイント部材は、アーム用ジョイント部材の停留用凸部が嵌まり込む停留用凹部、又は、アーム用ジョイント部材の停留用凹部が嵌まり込む停留用凸部を、回動用嵌合部に対し同心円状に複数個設けたことを特徴とする組立ブロック玩具。
【請求項５】
請求項１乃至３のいずれかに記載の組立ブロック玩具において、
前記枢軸用ジョイント部材は、回動用嵌合部の近傍に、その嵌合長さより短い停留用凹部又は停留用凸部を設け、
前記アーム用ジョイント部材は、枢軸用ジョイント部材の停留用凹部が嵌まり込む停留用凸部、又は、枢軸用ジョイント部材の停留用凸部が嵌まり込む停留用凹部を、回動用嵌合部に対し同心円状に複数個設けたことを特徴とする組立ブロック玩具。
【請求項６】
請求項１乃至５のいずれかに記載の組立ブロック玩具において、
前記アーム用ジョイント部材は、アーム本体を四角柱状とし、各面に回動用嵌合部が形成されていることを特徴とする組立ブロック玩具。
【発明の詳細な説明】
【技術分野】
【０００１】
本発明は、平板状のブロック部材をジョイント部材を介在させて連結していくことにより、種々の立体形状を組み立てる組立ブロック玩具に関する。
【背景技術】
【０００２】
従来より、種々の方式の組立ブロック玩具が提案されている。例えば、特許文献１に記載の組立ブロック玩具は、面を形成する正多角形（正方形或いは正三角形）の平板状のブロック部材を複数種類のジョイント部材を介在させて連結するタイプのもので、ブロック部材やジョイント部材の種類が比較的少なくても、様々な立体形状を組み立てることができる。
【０００３】
また、特許文献２に記載の組立ブロック玩具は、目的の立体形状に適するように多様な形状のブロック部材が用意されているタイプのものにおいて、一対のブロック部材が係合して横方向及びそれと直行方向に回動可能にする一対の第１及び第２の回動可能係合部を有するブロック部材が記載されている。
【０００４】
【特許文献１】特開平６−３０４３４４号公報
【特許文献２】特開平５−２５３３５７号公報
【発明の開示】
【発明が解決しようとする課題】
【０００５】
組立ブロック玩具は、特許文献２に示されるように、回動可能、すなわち連結された部材間の角度が自由に変わる立体形状を組み立てることでその創造の範囲が広がり楽しさが増大する。従って、特許文献１の組立ブロック玩具においても、角度が自由に変わる立体形状が組み立てられることが望まれる。本願発明者は、そのためには、平板状のブロック部材は既存の正多角形のものを用い、特別なジョイント部材を用いて角度が自由に変わり様々なバリエーションが組み立てできるようにするのが望ましいと考え、鋭意研究の結果、以下説明する組立ブロック玩具を案出した。
【０００６】
本発明は係る事由に鑑みてなされたものであり、その目的は、平板状のブロック部材をジョイント部材を介在させて連結して種々の立体形状を組み立てる組立ブロック玩具において、ブロック部材間の角度が自由に変わり様々なバリエーションが組み立てできる組立ブロック玩具を提供することにある。
【課題を解決するための手段】
【０００７】
上記目的を達成するために、請求項１に記載の組立ブロック玩具は、同一形状の被連結部が側面に設けられた複数の平板状のブロック部材を、被連結部に嵌着する連結部を設けた複数のジョイント部材を介在させて連結する組立ブロック玩具において、前記ブロック部材は、正方形状をなす正方形状ブロック部材を複数個含み、これらの正方形状ブロック部材は各辺の中央に同一形状の被連結部を有してなり、前記ジョイント部材は、アーム用ジョイント部材と枢軸用ジョイント部材とを含み、アーム用ジョイント部材は、正方形状ブロック部材の一辺より長く形成されてその外側面に当接する当接面から突出する連結部により該正方形状ブロック部材に嵌着可能なアーム本体と、該当接面に有って、正方形状ブロック部材の外側面に嵌着させたときその外側面に当接しない箇所に設けた回動用嵌合部と、を有し、枢軸用ジョイント部材は、正方形状ブロック部材の一辺の長さと実質的に等しく形成されてその外側面に当接する当接面から突出する連結部により該正方形状ブロック部材に嵌着可能な枢軸本体と、枢軸本体の両端面に設けられて前記アーム用ジョイント部材の回動用嵌合部に嵌合可能な回動用嵌合部と、を有し、一の正方形状ブロック部材が嵌着されたアーム用ジョイント部材の回動用嵌合部に、他の正方形状ブロック部材が嵌着された枢軸用ジョイント部材の回動用嵌合部を嵌合したとき、一の正方形状ブロック部材が他の正方形状ブロック部材に対して相対的に回動することを特徴とする。
【０００８】
請求項２に記載の組立ブロック玩具は、請求項１に記載の組立ブロック玩具において、前記枢軸用ジョイント部材の回動用嵌合部を２個のアーム用ジョイント部材の回動用嵌合部に嵌合させるとともに、２個のアーム用ジョイント部材の当接面を正方形状ブロック部材の互いに背向する外側面に当接させて嵌着した連結状態において枢軸用ジョイント部材に対して回動させたとき、該正方形状ブロック部材の外側面が枢軸用ジョイント部材に当接することにより回動角を規制することを特徴とする。
【０００９】
請求項３に記載の組立ブロック玩具は、請求項１又は２に記載の組立ブロック玩具において、前記アーム用ジョイント部材は、正方形状ブロック部材の外側面に当接する当接面を２個有し、連結部と回動用嵌合部をそれぞれ２個有していることを特徴とする。
【００１０】
請求項４に記載の組立ブロック玩具は、請求項１乃至３のいずれかに記載の組立ブロック玩具において、前記アーム用ジョイント部材は、回動用嵌合部の近傍に、その嵌合長さより短い停留用凸部又は停留用凹部を設け、前記枢軸用ジョイント部材は、アーム用ジョイント部材の停留用凸部が嵌まり込む停留用凹部、又は、アーム用ジョイント部材の停留用凹部が嵌まり込む停留用凸部を、回動用嵌合部に対し同心円状に複数個設けたことを特徴とする。
【００１１】
請求項５に記載の組立ブロック玩具は、請求項１乃至３のいずれかに記載の組立ブロック玩具において、前記枢軸用ジョイント部材は、回動用嵌合部の近傍に、その嵌合長さより短い停留用凹部又は停留用凸部を設け、前記アーム用ジョイント部材は、枢軸用ジョイント部材の停留用凹部が嵌まり込む停留用凸部、又は、枢軸用ジョイント部材の停留用凸部が嵌まり込む停留用凹部を、回動用嵌合部に対し同心円状に複数個設けたことを特徴とする。
【００１２】
請求項６に記載の組立ブロック玩具は、請求項１乃至５のいずれかに記載の組立ブロック玩具において、前記アーム用ジョイント部材は、アーム本体を四角柱状とし、各面に回動用嵌合部が形成されていることを特徴とする。
【発明の効果】
【００１３】
本発明の組立ブロック玩具によれば、枢軸用ジョイント部材に対してアーム用ジョイント部材が相対的に回動し、その結果、アーム用ジョイント部材に連結されたブロック部材と枢軸用ジョイント部材に連結されたブロック部材の角度が自由に変わり、様々なバリエーションが組み立てできる。
【発明を実施するための最良の形態】
【００１４】
以下、本発明を実施するための最良の形態を図面を参照しながら説明する。本発明の実施形態に係る組立ブロック玩具１は、図１に組み立てた立体形状の一例を示すように、同一形状の被連結部ＩＨが側面に設けられた複数の平板状のブロック部材（この例では２個の後述の正方形状をなすブロック部材３０、３０）を、被連結部ＩＨに嵌着できる連結部ＩＰを設けた複数のジョイント部材（この例では２個の後述のアーム用ジョイント部材１０、１０、１個の後述の枢軸用ジョイント部材２０）を介在させて連結するものである。そして、ブロック部材３０、３０に、更に他のジョイント部材やブロック部材を連結させることにより、種々の立体形状を組み立てることができる。これらのブロック部材及びジョイント部材は、全て略等しい板厚であり、可撓性を有する素材（例えば、プラスチック製、金属製など）にて形成される。また、ブロック部材の被連結部ＩＨはすべて同一形状であり、ジョイント部材の連結部ＩＰは、後述のアーム用ジョイント部材１０及び枢軸用ジョイント部材２０を含めすべて同一形状である。
【００１５】
複数のブロック部材には、少なくとも正方形状をなすブロック部材３０が複数個含まれる。図２は図１の立体形状を組み立てる前の分解斜視図であるが、正方形状をなすブロック部材３０は、その外郭が各ジョイント部材が当接する外側面３０ａであり、外側面３０ａの各辺の中央に、前述した同一形状の被連結部ＩＨを有している。被連結部ＩＨは、板厚方向の両側に略半円状に凹設し、更に略半円状の中間部には、ジョイント部材が嵌着したときその脱落を阻止するための小凸部ＩＨａを設けている。複数のブロック部材は、その他、三角形等の多角形のものを含むことができるが、同様の被連結部ＩＨと小凸部ＩＨａと外側面３０ａを備えるものとなる。
【００１６】
複数のジョイント部材には、アーム用ジョイント部材１０と枢軸用ジョイント部材２０が含まれる。これらの部材については、以下の図３〜図５を用いて詳細に説明する。図３（ａ）、（ｂ）、（ｃ）はそれぞれ、アーム用ジョイント部材１０の正面図、右側面図、平面図、図４（ａ）、（ｂ）、（ｃ）はそれぞれ、枢軸用ジョイント部材２０の正面図、右側面図、平面図、図５（ａ）、（ｂ）はそれぞれ、アーム用ジョイント部材１０、枢軸用ジョイント部材２０の（正面視）断面図である。
【００１７】
アーム用ジョイント部材１０は、正方形状をなすブロック部材３０の外側面３０ａに当接する当接面１０ａを有してブロック部材３０の一辺より長く形成された角柱状のアーム本体１１と、当接面１０ａから突出する連結部ＩＰと、ブロック部材３０の外側面３０ａに嵌着させたとき、ブロック部材３０の外側面３０ａに当接しない箇所に設けた回動用嵌合部１２と、を有している。連結部ＩＰは、図３に示すように、ブロック部材３０の被連結部ＩＨに対応した外形形状と凹設深さに等しい厚みでもって一対の部分が対向して突出し、更にその内側中間部には、小凸部ＩＨａに対応した小凹部ＩＰａを設けている。また、回動用嵌合部１２は、この例では、円柱状の凸部として形成している。
【００１８】
枢軸用ジョイント部材２０は、正方形状をなすブロック部材３０の外側面３０ａに当接する当接面２０ａを有して長手方向（回動軸線２０Ｘ方向）の長さがブロック部材３０の一辺と実質的に等しく形成された略角柱状の枢軸本体２１と、枢軸本体２１の長手方向の中央において突出する連結部ＩＰと、アーム用ジョイント部材１０の回動用嵌合部１２に嵌合する枢軸本体２１の長手方向の両端面２０ｂ、２０ｂに設けた回動用嵌合部２２と、を有している。回動用嵌合部２２は、この例では、円形状の凹部として形成している。なお、連結部ＩＰは、アーム用ジョイント部材１０の連結部ＩＰと同様である。
【００１９】
枢軸用ジョイント部材２０の回動用嵌合部２２である凹部は、図４（ｃ）及び図５（ｂ）に示すように、円柱孔であると、回動軸線２０Ｘに対してアーム用ジョイント部材１０の回動用嵌合部１２がぐらつかず滑らかに回動する点では望ましいが、図６（ｂ）に示すように、比較的内径が大きな皿状としてもよい。この場合、アーム用ジョイント部材１０の回動用嵌合部１２である凸部は、図６（ａ）に示すように、枢軸用ジョイント部材２０の回動用嵌合部２２である凹部に接触して嵌合可能な形状とする。
【００２０】
また、枢軸用ジョイント部材２０の回動用嵌合部２２である凹部を、図７（ｂ）のような凸部に、アーム用ジョイント部材１０の回動用嵌合部１２である凸部を、図７（ａ）のような凹部にしてもよい。以下の本実施形態の説明において、特に明記しない場合でも、回動用嵌合部１２、２２の凹凸関係は適宜入れ替えて用いることが可能である。
【００２１】
ここで、アーム用ジョイント部材１０、枢軸用ジョイント部材２０、正方形のブロック部材３０を用いた立体形状の組み立て方法について説明する。例えば、図１に示す立体形状は、２個のアーム用ジョイント部材１０、１０の間に正方形のブロック部材３０と枢軸用ジョイント部材２０を挟むように配置し、枢軸用ジョイント部材２０の回動用嵌合部２２を２個のアーム用ジョイント部材１０、１０の回動用嵌合部１２に嵌合させるとともに、２個のアーム用ジョイント部材１０、１０の当接面１０ａ、１０ａをブロック部材３０の互いに背向する外側面３０ａに当接させて連結部ＩＰ、ＩＰを被連結部ＩＨ、ＩＨに嵌着する。次に、他の正方形のブロック部材３０の外側面３０ａに枢軸用ジョイント部材２０の当接面２０ａを当接させて被連結部ＩＨに連結部ＩＰを嵌着する。こうして、２個のブロック部材３０、３０が回動可能に連結される。なお、これらの組立の実際の順序は自由に変更できる。
【００２２】
この立体形状では、枢軸用ジョイント部材２０の回動軸線２０Ｘを回動軸として、２個のアーム用ジョイント部材１０、１０に連結された正方形のブロック部材３０と枢軸用ジョイント部材２０に連結された正方形のブロック部材３０とが相対的に回動する。すなわち、枢軸用ジョイント部材２０に嵌着されているブロック部材３０を静止状態とすると、２個のアーム用ジョイント部材１０、１０に嵌着されているブロック部材３０が回動し、２個のアーム用ジョイント部材１０、１０に嵌着されているブロック部材３０を静止状態とすると、枢軸用ジョイント部材２０に嵌着されているブロック部材３０が回動する。
【００２３】
この立体形状では、２個のアーム用ジョイント部材１０、１０の間のブロック部材３０が枢軸用ジョイント部材２０に対して確実に回動できるように、枢軸用ジョイント部材２０とこのブロック部材３０との間には適度な隙間が設けられる。そして、枢軸用ジョイント部材２０に対する回動量、すなわち回動角は、このブロック部材３０の枢軸用ジョイント部材２０に対向する外側面３０ａが枢軸用ジョイント部材２０に当接することにより規制される。最も典型的なものは、図８（ａ）に示すように、略角柱状である枢軸本体２１の連結部ＩＰを突出させている側面（当接面）２０ａと反対側の側面を、回動軸線２０Ｘを中心とする半円の円弧状としている。このものでは、ブロック部材３０の外側面３０ａが枢軸用ジョイント部材２０に当接するまでに、略±９０°の回動角が得られ、円弧状の終点が自己の回動角を規制する回動角規制部２０ｃとなる。また、枢軸用ジョイント部材２０は、自己の回動角を±９０°より小さく規制するような回動角規制部２０ｃを設けてもよい。例えば、図８（ｂ）に示すように、枢軸本体２１の連結部ＩＰを突出させている側面（当接面）２０ａと反対側の側面を、回動軸線２０Ｘより連結部ＩＰ側にずらした点を中心とする円弧状、すなわち図８（ａ）のものより半径が大きい円弧状としてもよい。このものでは、枢軸用ジョイント部材２０の回動角を、例えば、±４５°、つまり±４５°以上は回動しないようにすることができる。また、図８（ｃ）に示すように、枢軸本体２１の連結部ＩＰを突出させている側面（当接面）２０ａと反対側の側面の半分を回動軸線２０Ｘを中心とする１／４円の円弧状とし、残りの半分は円弧状としないようにして回動角規制部２０ｃを設けてもよい。このものは、枢軸用ジョイント部材２０の回動角を、略＋９０°、つまり矢印方向に略＋９０°回動するが、逆には回動しないようにすることができる。なお、このブロック部材３０と他のブロック部材３０間の間隔Ｓは大きくなるが、アーム用ジョイント部材１０を長手方向に延ばし、図８（ｄ）に示すように、枢軸用ジョイント部材２０とこのブロック部材３０との間の隙間を広くすることによって、回動角を９０°よりも大きくすることも可能である。このとき、枢軸本体２１には、円弧状の部分を設ける必要はない。
【００２４】
また、アーム用ジョイント部材１０において回動用嵌合部１２近傍の長手方向の端面は、他のジョイント部材と対向した場合に接触しないように、回動しても適度な隙間があるようにしておくのが望ましく、例えば、図３（ｂ）等で示すように、回動用嵌合部１２を中心とする半円の円弧状としている。
【００２５】
このように、この組立ブロック玩具１では、枢軸用ジョイント部材２０に対してアーム用ジョイント部材１０及びそれに連結するブロック部材３０等が相対的に回動し、枢軸用ジョイント部材２０に対するアーム用ジョイント部材１０の角度が自由にかわる。また、図１において、例えば、右側のブロック部材３０を三角形のものにしたり、ブロック部材３０、３０のいずれか又は両方に他のジョイント部材を介して他のブロック部材を連結したりするなどして、立体形状のバリエーションを増やすこともできる。
【００２６】
次に、別のアーム用ジョイント部材１０Ｂを説明する。このアーム用ジョイント部材１０Ｂは、図９に示すように、正方形状をなすブロック部材３０の外側面３０ａに当接する当接面１０ａを２個有してブロック部材３０の一辺より長く形成されたアーム本体１１と、両当接面１０ａ、１０ａから突出する２個の連結部ＩＰ、ＩＰと、ブロック部材３０の外側面３０ａに嵌着させたときブロック部材３０の外側面３０ａに当接しない箇所に設けた２個の回動用嵌合部１２、１２と、を有してなる。
【００２７】
このアーム用ジョイント部材１０Ｂは、アーム用ジョイント部材１０とともに用いたり、単独で（アーム用ジョイント部材１０と独立に）用いたりして組み立てる立体形状のバリエーションを更に増やすことができる。図１０は、アーム用ジョイント部材１０Ｂをアーム用ジョイント部材１０とともに用いた立体形状の一例である。この立体形状は、アームジョイント部１０Ｂの両側にそれぞれ正方形のブロック部材３０、３０を連結して枢軸用ジョイント部材２０、２０を嵌合し、次に、これらを２個のアーム用ジョイント部材１０、１０で挟むように連結又は嵌合し、次に、枢軸用ジョイント部材２０の一つに他の正方形のブロック部材３０を連結したものである。この立体形状は、２個の枢軸用ジョイント部材２０、２０の回動軸線２０Ｘを中心軸として、２個のアーム用ジョイント部材１０、１０に挟まれた２個の正方形のブロック部材３０、３０及びアーム用ジョイント部材１０Ｂが枢軸用ジョイント部材２０に連結されたブロック部材３０に対して相対的に回動する。図１１は、アーム用ジョイント部材１０Ｂを単独で用いた立体形状の一例である。この立体形状は、アームジョイント部材１０Ｂの両側にそれぞれ正方形のブロック部材３０、３０を連結し、また、枢軸用ジョイント部材２０、２０を嵌合し、次に、枢軸用ジョイント部材２０、２０に他の正方形のブロック部材３０、３０を連結してそれらのブロック部材３０、３０の間を単純連結用のジョイント部材４０で連結したものである。この立体形状は、２個の枢軸用ジョイント部材２０、２０の回動軸線２０Ｘを中心軸として、アーム用ジョイント部材１０Ｂの両側のブロック部材３０、３０が枢軸用ジョイント部材２０、２０に連結されたブロック部材３０、３０に対して相対的に回動する。
【００２８】
更には、図示はしないが、アーム用ジョイント部材１０Ｂの２個の連結部ＩＰ、ＩＰの角度間隔を変えたり連結部ＩＰの数を増やしたりしてその変形例を増やすと、立体形状のバリエーションを更に増やすことができる。また、同様にして、枢軸用ジョイント部材２０の変形例を増やすと、立体形状のバリエーションを更に増やすことができる。
【００２９】
次に、枢軸用ジョイント部材２０に対するアーム用ジョイント部材１０の相対的な回動を所定の角度で停止し、安定して停留するような構造とした変形例を説明する。これは、枢軸用ジョイント部材２０の回動用嵌合部２２とアーム用ジョイント部材１０の回動用嵌合部１２の接触面の適度な摩擦等により任意の角度で安定して停留させることも可能であるが、製品の個体差や経時的変化を考慮して、構造的に所定の角度で安定して停留できるようにしたものである。
【００３０】
このアーム用ジョイント部材１０Ｃは、図１２（ａ）に示すように、回動用嵌合部１２の近傍に、その嵌合長さ（回動用嵌合部１２の凸部の高さ）より短い停留用凸部１３を設け、枢軸用ジョイント部材２０Ｃは、図１２（ｂ）に示すように、アーム用ジョイント部材１０Ｃの停留用凸部１３が嵌まり込む停留用凹部２３を、回動用嵌合部２２に対し同心円状でかつ所定間隔毎に複数個設けている。これにより、アーム用ジョイント部材１０Ｃは、図１２（ｃ）に示すように、停留用凸部１３が枢軸用ジョイント部材２０Ｃの複数の停留用凹部２３、２３、・・・の一つ一つに合わさりながら、枢軸用ジョイント部材２０Ｃに対して相対的に回動する。このとき、多少の抵抗があり、また、揺動するが、揺動の主な方向が枢軸用ジョイント部材２０Ｃの回動軸線２０Ｘ方向であるので、比較的滑らかに回動することができる。そして、回動を停止したとき、所定の角度で、停留用凸部１３が一つの停留用凹部２３に合わさり、安定して停留する。
【００３１】
逆に、枢軸用ジョイント部材２０Ｃに、回動用嵌合部２２の近傍に、その嵌合長さ（回動用嵌合部２２の凹部の深さ）より短い停留用凹部を設け、アーム用ジョイント部材１０Ｃに、枢軸用ジョイント部材２０Ｃの停留用凹部に嵌まり込む停留用凸部を、回動用嵌合部１２に対し同心円状でかつ所定間隔毎に複数個設けてもよい。この場合の回動の動作、停留の動作は、上記と同様である。また、アーム用ジョイント部材１０Ｃと枢軸用ジョイント部材２０Ｃの停留用凸部と停留用凹部は、その凹凸関係を入れ替えてもよい。
【００３２】
なお、アーム用ジョイント部材１０Ｃの変形例として、図１３に示すように、長手方向の端面に停留用凸部１３ａを複数個形成したアーム用ジョイント部材１０Ｄにすることも可能である。この場合は、長手方向の端面に停留用凹部１３ａ’を形成したジョイント部材１０Ｄ’を別途必要とし、所定位置に配置しなければならない。このものは、回動に伴う揺動の方向が枢軸用ジョイント部材２０の回動軸線２０Ｘに対し直交する方向であるので、上記の場合に比べて抵抗が大きく回動の滑らかさが低下する場合が多い。
【００３３】
次に、アーム用ジョイント部材１０において連結部ＩＰと回動用嵌合部１２の位置関係が選択できる変形例を説明する。このアーム用ジョイント部材１０Ｅは、アーム本体１１を四角柱状とし、その各面に回動用嵌合部が形成されているものである。すなわち、図１４に示すように、これまでの実施形態で説明した回動用嵌合部１２の他に、それと９０°、１８０°、２７０°の角度間隔を有して別の回動用嵌合部１２ｅ１、１２ｅ２、１２ｅ３が形成されている。従って、枢軸用ジョイント部材２０の回動用嵌合部２２に回動用嵌合部１２が嵌合した場合は上記のアーム用ジョイント部材１０の場合と立体形状はほぼ同じであるが、回動用嵌合部１２ｅ１、１２ｅ２、１２ｅ３のいずれかが嵌合した場合は立体形状が異なり、バリエーションが広がる。なお、回動用嵌合部１２ｅ１、１２ｅ２、１２ｅ３のいずれかを省略することも可能である。
【００３４】
この図１４に示すアーム用ジョイント部材１０Ｅは、使用しない回動用嵌合部が生じるので、更に組み立てを展開していく際に多少邪魔になる場合があり、また、多少美感の低下を招く場合がある。この点を考慮すると、以下の形態が望ましい。図１５（ａ）、（ｂ）の正面視断面図、右側面視断面図に示すものは、図６（ａ）に示したアーム用ジョイント部材１０を変形して、回動用嵌合部１２である凸部がアーム本体１１の軸線に対して線対称に形成された部分球体となるようにし、図６（ｂ）に示した皿状の回動用嵌合部の凹部２２を形成した枢軸用ジョイント部材２０とともに用いるようにしたものである。また、図１６（ａ）、（ｂ）の正面視断面図、右側面視断面図に示すものは、図７（ａ）に示したアーム用ジョイント部材１０を変形して、回動用嵌合部１２を凹部とし、その他に、それと９０°、１８０°、２７０°の角度間隔を有して別の回動用嵌合部の凹部１２ｅ１、１２ｅ２、１２ｅ３を形成したものを、図７（ｂ）に示した回動用嵌合部の凸部２２を形成した枢軸用ジョイント部材２０とともに用いるようにしたものである。なお、回動用嵌合部の凹部１２、１２ｅ１、１２ｅ２、１２ｅ３は、内部でつながっていても構わない。このようにすると、使用していない回動用嵌合部が立体形状を組み立てる際に邪魔になることはなく、また、美感もさほど低下することもない。
【００３５】
以上、本発明の実施形態に係る組立ブロック玩具について説明したが、本発明は、上述の実施形態に記載したものに限られることなく、特許請求の範囲に記載した事項の範囲内でのさまざまな設計変更が可能である。例えば、被連結部ＩＨ、連結部ＩＰなどは、実施形態で説明した具体的な形状以外の様々な形状とすることができるのは勿論である。
【図面の簡単な説明】
【００３６】
【図１】本発明の実施形態に係る組立ブロック玩具で立体形状の一例を組み立てた状態の斜視図である。
【図２】同上の図１の立体形状を組み立てる前の分解斜視図である。
【図３】同上のアーム用ジョイント部材の正面図、右側面図、平面図である。
【図４】同上の枢軸用ジョイント部材の正面図、右側面図、平面図である。
【図５】同上のアーム用ジョイント部材と枢軸用ジョイント部材の断面図である。
【図６】同上のアーム用ジョイント部材と枢軸用ジョイント部材の回動用嵌合部の変形例の断面図である。
【図７】同上のアーム用ジョイント部材と枢軸用ジョイント部材の回動用嵌合部の別の変形例の断面図である。
【図８】同上の枢軸用ジョイント部材とブロック部材との関係を説明する平面図である。
【図９】同上のアーム用ジョイント部材の変形例の正面図、平面図である。
【図１０】図９のアーム用ジョイント部材の変形例を用いた立体形状の一例の斜視図である。
【図１１】図１０とは別の立体形状の一例の斜視図である。
【図１２】同上のアーム用ジョイント部材に停留用凸部を形成した例の正面図と枢軸用ジョイント部材に停留用凹部を形成した例の平面図とそれらを組み立てた状態の断面図である。
【図１３】同上のアーム用ジョイント部材に停留用凸部を形成した別の例の正面図とそれを組み立てた状態の断面図である。
【図１４】同上のアーム用ジョイント部材の回動用嵌合部（凸部）を複数個形成した例の正面図、右側面図、平面図である。
【図１５】図６（ａ）のアーム用ジョイント部材の回動用嵌合部（凸部）を部分球体となるように形成した例の正面視断面図、右側面視断面図である。
【図１６】図７（ａ）のアーム用ジョイント部材の回動用嵌合部（凹部）を複数個形成した例の正面視断面図、右側面視断面図である。
【符号の説明】
【００３７】
１    組立ブロック玩具
１０〜１０Ｅ    アーム用ジョイント部材
１０ａ  アーム用ジョイント部材の当接面
１１    アーム用ジョイント部材のアーム本体
１２    アーム用ジョイント部材の回動用嵌合部
１３    アーム用ジョイント部材の停留用凸部
２０    枢軸用ジョイント部材
２０ａ  枢軸用ジョイント部材の当接面
２０ｂ  枢軸用ジョイント部材の端面
２０ｃ  枢軸用ジョイント部材の回動角規制部
２０Ｘ  枢軸用ジョイント部材の回動軸線
２１    枢軸用ジョイント部材の枢軸本体
２２    枢軸用ジョイント部材の回動用嵌合部
２３    枢軸用ジョイント部材の停留用凹部
３０    正方形のブロック部材
３０ａ  正方形のブロック部材の外側面
ＩＨ    ブロック部材の被連結部
ＩＰ    ジョイント部材の連結部
【要約】
【課題】平板状のブロック部材をジョイント部材を介在させて連結して種々の立体形状を組み立てる組立ブロック玩具において、ブロック部材間の角度が自由に変わり様々なバリエーションが組み立てできる組立ブロック玩具を提供する。
【解決手段】この組立ブロック玩具１は、正方形状をなすブロック部材３０、アーム用ジョイント部材１０、枢軸用ジョイント部材２０、を含み、アーム用ジョイント部材１０は、アーム本体１１と、それから突出する連結部ＩＰと、ブロック部材３０に嵌着させたときその外側面３０ａに当接しない箇所に設けた回動用嵌合部１２と、を有し、枢軸用ジョイント部材２０は、ブロック部材３０の一辺と実質的に等しく形成された枢軸本体２１と、それから突出する連結部ＩＰと、枢軸本体２１の両端面２０ｂ、２０ｂに設けられてアーム用ジョイント部材１０の回動用嵌合部１２に嵌合する回動用嵌合部２２と、を有している。
【選択図】図１【図１】
0004165897.tif 000002
【図２】
0004165897.tif 000003
【図３】
0004165897.tif 000004
【図４】
0004165897.tif 000005
【図５】
0004165897.tif 000006
【図６】
0004165897.tif 000007
【図７】
0004165897.tif 000008
【図８】
0004165897.tif 000009
【図９】
0004165897.tif 000010
【図１０】
0004165897.tif 000011
【図１１】
0004165897.tif 000012
【図１２】
0004165897.tif 000013
【図１３】
0004165897.tif 000014
【図１４】
0004165897.tif 000015
【図１５】
0004165897.tif 000016
【図１６】
0004165897.tif 000017